(57)【要約】【課題】ギャッジベッドの背もたれ部を上挙した際に枕を横臥時の位置近辺に保持して上体を起立したベッド使用者の頭を支えることのできる枕の固定具を提供する。【解決手段】屈折部において連続し、同方向に延びる二本の棒状体よりなる係止部材と、該棒状体の一方に装着垂下されたシート状保持片とよりなるギャッジベッド用枕固定具。前記屈折部は、コ字形又はＵ字形、又はＶ字形又はＷ字形をなし、二本の棒状体は、その長さを同一又は異なるものとしており、シート状保持片の片面又は両面上には、確実に枕を固定できるよう、滑り止め材が付着されている。    【選択図】図１
0003108141.tif 000002
【実用新案登録請求の範囲】
【請求項１】
屈折部において連続し、同方向に延びる二本の棒状体よりなる係止部材と、該棒状体の一方に装着垂下された、シート状保持片とよりなるギャッジベッド用枕固定具。
【請求項２】
屈折部は、コ字形又はＶ字形又はＵ字形又はＷ字形をなしていることを特徴とする請求項１に記載のギャッジベッド用枕固定具。
【請求項３】
二本の棒状体は、その長さを同一又は異なるものとしたことを特徴とする請求項１に記載のギャッジベッド用枕固定具。
【請求項４】
シート状保持片の片面又は両面に、滑り止め材が付着されている請求項１に記載のギャッジベッド用枕固定具。
【考案の詳細な説明】
【技術分野】
【０００１】
本考案は、ギャッジベッドの背もたれ部を上挙した際に、枕が利用者の頭部の位置からずれ落ちないように枕を寝具上に掛け止めする枕固定具に関するものである。
【背景技術】
【０００２】
従来、背もたれ部、腰支え部、脚乗せ部よりなるフレーム部にそれぞれマットレスを支持したギャッジベッド（特許文献１、特許文献２）は、病院、一般家庭等で広く使用されている。マットレス上にはベッドパッド、シーツ、枕、掛け布団等を載置して使用するが、使用者が上半身を起こすためギャッジベッドの背もたれ部を上挙した際、枕は横臥時の位置からずれ落ちてしまう。しかしながら、首筋が不安定な状態のベッド使用者にとっては、上体を起き上がらせた際に自力で頭部を支えることが困難で、頭を支える枕が必要とされる場合が多々ある。また、頭部を支える必要のないものであっても、ギャッジベッドの上挙の都度、枕の位置が変化してしまうということでは極めて使用勝手が悪いということになる。
【特許文献１】特開２００１−１２８７９７号
【特許文献２】特開平９−９４２７２号
【考案の開示】
【考案が解決しようとする課題】
【０００３】
本考案は、上記の点に鑑みてギャッジベッドの背もたれ部を上挙した際にも、枕を横臥時の位置近辺に保持することができ、上体が起立されたベッド使用者の頭を支えることができ、また、頭部と枕とが離れた状態となっても、枕は位置を変えることなく保持することのできる枕の固定具を提供することを目的とする。
【課題を解決するための手段】
【０００４】
本考案のギャッジベッド用枕固定具は、屈折部において連続し、同方向に延びる二本の棒状体よりなる係止部材と、該棒状体の一方に装着垂下されたシート状保持片とよりなる。前記屈折部は、コ字形又はＵ字形、又はＶ字形又はＷ字形をなし、二本の棒状体は、その長さを同一又は異なるものとしている。シート状保持片の片面又は両面上には、より確実に枕を固定できるよう、滑り止め材が付着されている。    
【考案の効果】
【０００５】
本考案のギャッジベッド用枕固定具は、屈折部で結合された棒状体よりなる係止部材の一方の棒状体を、枕を覆う枕カバーの間に挿入し、他方の棒状体に装着垂下されたシート状保持片を、マットレスとベッドフレームとの間に挟みこむことにより、シート状保持片は、マットレスとベッドフレームとによりニップされ、シート状保持片は棒状部材を介して枕を不動状態にマットレス上に保持することができ、上記シート状保持片をニップする位置を適宜に選ぶことにより、きわめて簡単な操作により上挙したギャッジベッドの背もたれ部上の任意の高さに枕を固定することが出来る。
【考案を実施するための最良の形態】
【０００６】
本考案の実施の形態の一例を図面を参照しながら詳細に説明する。図１は本考案のギャッジベッド用枕固定具１０の正面図であり、図２Ａ乃至Ｃは、枕固定具１０の枕への装着方法を示す平面図、図３は、枕を固定した使用状態を示すギャッジベッドマットレスの斜視図、図４は、図３の使用状態を背後から示した部分説明図である。
【０００７】
本考案のギャッジベッド用枕固定具１０の係止部材１は、通常の枕の長辺にほぼ等しいか、あるいはやや長い長さを有する二本の棒状体１ａ、1ｂを屈折部１ｃでコ字型に結合したものであって、図に示すような形状であれば一本の棒を折り曲げたものであってもよく、金属製、樹脂製等、枕の重量を支えるに十分な強度を有するものであれば素材は限定されない。また屈折部１ｃの形状は、コ字型に限定されず、Ｕ字形、Ｖ字形、Ｗ字形等任意である。棒状体の一方１ｂには長辺Ｈと短辺Ｗの長方形のシート状保持片２が短辺Ｗの一方において接着、縫着などにより結合されている。該長辺Ｈの長さは、後述する使用時に、背もたれ部マットレス８とベッドフレーム９とに確実にニップされ、滑りが生ずることの無い限度の長さ以上とする。シート状保持片２は、布地、不織布、合成樹脂性シート等のいずれであっても良い。このシート状保持片２の片面には、任意形状に適宜間隔を置いて滑り止め材３を付着させる。滑り止め材３の形成には、ゴムを接着する、エポキシ樹脂，ウレタン樹脂，ナイロン樹脂等の合成樹脂液を付着させる、発泡合成樹脂シートを接着する、熱溶着性の転写材を熱により固着する等の従来行われている滑り止め形成手段が用いられる。上記シート状保持片２の防滑性能によっては、その幅Ｗ或いは長さＨを適宜変更することが出来ることは勿論であって、その幅Ｗを変更した場合、シート状保持片２を支持している棒状体１ｂの長さを棒状体１ａより短くすることが出来る。      
【０００８】
次に、本考案のギャッジベッド用枕固定具１０の使用方法について図２を用いて説明する。使用の一例として、詰め物を有する枕本体４を、袋状の枕カバー５中に挿入する例を示す。図２Ａは、袋状の枕カバー５の一面の側地の一部を取り去った状態の平面図で、袋体の中に開口端６から枕本体４を入れ、枕カバー５の開口端６を枕本体４を包むように一点鎖線Ｙ−Ｙ線で示す位置で枕カバー５内部に反転して折り込んで（矢印Ｘ）図２Ｂに示す状態とする。次いで、係止部材１の二本の棒状体１ａ、1ｂのうちシート状保持片２が結合されていない棒状体１ａを、前記Ｙ−Ｙ線から折り込んだ枕カバー５のＹ−Ｙ線の位置から袋内の開口端６に向け図２Ｃのように枕カバー５内に挿入する。
【０００９】
このようにして図３に示すように、ギャッジベッド用枕固定具１０をギャッジベッドマットレス７の背もたれ部マットレス８の上端付近に置くと共に、棒状部材１ｂに結合されているシート状保持片２を滑り止め材３が形成されている側の表面が背もたれ部マットレス８の背面に接するように、背もたれ部マットレス８とギャッジベッドフレーム９との間に挟みこむ（図４）。このようにすることによって、シート状保持片２は、ギャッジベッドフレーム９とマットレス８との間でニップされ、係止部材１は、枕カバー５を介して枕本体４を背もたれ部マットレス８上に支持することになる。この際、枕本体６をベッド使用者の頭部にあわせ、背もたれ部マットレス８上の任意の位置に固定するようシート状保持片２のニップ位置を調整することでベッド使用者の頭部を最も好ましい位置で支えることが出来る。尚、枕カバー５は、上記のような袋状のものである必要はなく、棒状体１ａを挿入し、枕本体４を支えることの出来るものであれば良い。また、シート状保持片２の巾Ｗによっては、棒状体１ｂの長さをシート状保持片２の巾Ｗに応じて短くすることも出来る。
【００１０】
上記のように、本考案のギャッジベッド用枕固定具１０を使用すれば、ギャッジベッドの背もたれ部マットレス５を上挙した場合、枕が通常の位置からずれ落ちてしまうこともなく、枕本体４をベッド使用者の頭部にあわせ、背もたれ部マットレス８上の任意の高さに固定し、ベッド使用者の頭部を支持することができる。
【産業上の利用可能性】
【００１１】
本考案のギャッジベッド用枕固定具はきわめて簡単な構造であり、しかも、不使用時にはシート状片を棒状部材に巻きつけるのみで収納に便利であり、また、洗濯等が容易であるので衛生上も好ましいもので病院、家庭等広く使用可能である。
【図面の簡単な説明】
【００１２】
【図１】本考案のギャッジベッド用枕固定具の平面図である。
【図２】Ａ乃至Ｃは、枕固定具の枕への装着方法を示す部分切欠平面図である。
【図３】本考案のギャッジベッド用枕固定具の使用状態を示す斜視図である。
【図４】図３に示した使用状態を示す部分背面斜視図である。
【符号の説明】
【００１３】
１  係止部材
１ａ、1ｂ  棒状体
１ｃ  屈折部
２  シート状保持片
３  滑り止め材
４  枕本体
５  枕カバー
６  枕カバー開口端
７  ギャッジベッドマットレス
８  背もたれ部マットレス
９  ギャッジベッドフレーム
１０  ギャッジベッド用枕固定具 
【図１】
0003108141.tif 000003
【図２】
0003108141.tif 000004
【図３】
0003108141.tif 000005
【図４】
0003108141.tif 000006